(57)【特許請求の範囲】
【請求項１】
一本の所用の長さを有する非伸縮紐の基端部と先端部の両端に結び目を設け、その非伸縮紐の長手方向中央より前記基端部または前記先端部の何れか一方寄りの所定の位置に所用の長さを有する伸縮紐を連設して衣類の紐通し穴に挿通される締付け紐であって、
前記伸縮紐を胴周り内に介在させずに前記非伸縮紐の基端部側と前記伸縮紐の基端部側を締結することで伸縮性を有さないで締付けることができる締付け調整手段と、前記伸縮紐を胴周り内に介在させて前記非伸縮紐の基端部側と前記伸縮紐の先端部側を締結することで伸縮性を有して締付けることができる締付け調整手段の二通りの締付け調整手段を前記伸縮紐と前記非伸縮紐との結び位置を変えることによって任意に選択できることを特徴とする締付け紐。
【請求項２】
一本の所用の長さを有する非伸縮紐の基端部に係止具を設けると共に、その基端部付近に長さ調整具を備え、前記非伸縮紐の先端部に長手方向中央よりも先端部に近い所定の位置に所用の長さを有する伸縮紐を連設し、その伸縮紐の基端部側と前記非伸縮紐の先端部に係止具を設けて衣類の紐通し穴に挿通される締付け紐であって、
前記伸縮紐を胴周り内に介在させずに前記非伸縮紐の基端部と前記伸縮紐の基端部を係止具で連結することで伸縮性を有さないで締付けることができる締付け調整手段と、前記伸縮紐を胴周り内に介在させて前記非伸縮紐の基端部と前記伸縮紐の先端部を係止具で連結することで伸縮性を有して締付けることができる締付け調整手段の二通りの締付け調整手段を前記伸縮紐と前記非伸縮紐との結び位置を変えることによって任意に選択できることを特徴とする締付け紐。
【請求項３】
一本の所用の長さを有する非伸縮紐をエンドレス状に形成すると共に、その非伸縮紐を胴周り寸法より延長して形成し、その延長された非伸縮紐の長さ方向の所定の位置に所用の長さを有する伸縮紐を連設して衣類の紐通し穴に挿通される締付け紐であって、
前記伸縮紐を胴周り内に介在させずに前記非伸縮紐をループ状に締結することで伸縮性を有さないで締付けることができる締付け調整手段と、前記伸縮紐を胴周り内に介在させて前記非伸縮紐をループ状に締結することで伸縮性を有して締付けることができる締付け調整手段の二通りの締付け調整手段を前記伸縮紐と前記非伸縮紐との結び位置を変えることによって任意に選択できることを特徴とする締付け紐。
【請求項４】
一本の所用の長さを有して二股状に分岐される非伸縮紐の基端部と先端部の両端に結び目を設け、その分岐される一方の非伸縮紐の所定の位置に所用の長さを有する伸縮紐を連設して衣類の紐通し穴に挿通される締付け紐であって、
前記伸縮紐を胴周り内に介在させずに前記非伸縮紐の基端部側と前記非伸縮紐の先端部側を締結することで伸縮性を有さないで締付けることができる締付け調整手段と、前記伸縮紐を胴周り内に介在させて前記非伸縮紐の基端部側とその分岐される一方の前記伸縮紐の先端部側を締結することで伸縮性を有して締付けることができる締付け調整手段の二通りの締付け調整手段を前記伸縮紐と前記非伸縮紐との結び位置を変えることによって任意に選択できることを特徴とする締付け紐。
【請求項５】
一本の所用の長さを有して二股状に分岐される非伸縮紐の基端部に係止具を設け、その基端部付近に長さ調整具を備えると共に、その分岐される一方の非伸縮紐の所定の位置に所用の長さを有する伸縮紐を連設し、二股状に分岐される前記非伸縮紐の先端部に係止具を設けて衣類の紐通し穴に挿通される締付け紐であって、
前記伸縮紐を胴周り内に介在させずに前記非伸縮紐の基端部と先端部を係止具で連結することで伸縮性を有さないで締付けることができる締付け調整手段と、前記伸縮紐を胴周り内に介在させて前記非伸縮紐の基端部とその分岐される一方の前記伸縮紐の先端部を係止具で連結することで伸縮性を有して締付けることができる締付け調整手段の二通りの締付け調整手段を前記伸縮紐と前記非伸縮紐との結び位置を変えることによって任意に選択できることを特徴とする締付け紐。
【請求項６】
衣類の開口部に内縫される紐通し穴に紐取出し口を設け、その紐通し穴に請求項１〜請求項５記載の何れか記載の締付け紐を挿通したことを特徴とする衣類。
【発明の詳細な説明】
【技術分野】
【０００１】
本発明は、腰周りにおける締付け調整手段を体型や体調の変化ならびに衣類の着用状態に合わせて自由に選択することで着用時の圧迫感を軽減させることができる締付け紐とそれを使用した衣類に関する。
【背景技術】
【０００２】
従来より、身体の下半身に装着されるトレーニングウエア、スエットパンツ、ズボン、スカート、パジャマ、パンツ、水着、ヤッケ、雨合羽等は、腰周りを締付けるウエスト部にゴム通し穴を設け、それにゴム紐を挿通して伸縮自在に締付けることにより、着脱時における着用着のズリ下がりを防止していた。
【０００３】
しかしながら、使用者の個々の体型ならびに体調の変化に基づいて衣類の腰周りの締付け調整手段を暫時調整して着心地の良い衣類とするには、一旦締付け調整した後の腰周りの変化に対して広範囲ならびに容易に対応する締付け調整機能が必要とされる上、ゴム紐や締付け紐をきつく引き締めることなく継続して最適な締付け状態を維持し、さらにゴム紐が身体のウエスト部に食い込んで圧迫感が増大するといった問題を軽減し、さらにまた適度な締付け具合を簡単且つ容易な手段で形成すると共に、その締付け具合を頻繁に再調整することができる多様な締付け調整手段が備わっていることが望まれるものであった。
【０００４】
従来より、上記における締付け調整手段を備えると共に、それに伴う問題点を解決しようとする提案がなされている。例えば、腰周り（腹回り）の体型は、日々変化することが多いので、パンツ類を着用して一定のゴムひもの長さで長時間、強く締付けていると気分が悪くなるので、健康のために良くないことを解消することができることを特徴とする「健康ゴムひも」(特許文献１参照)が提案され、公知技術となっている。
【０００５】
しかしながら、係る「健康ゴムひも」の提案は、腰周り（腹回り）の略二分の一の伸縮するゴム部の両端にそれぞれ、伸縮しない一定の長さのひも部を設けてなる一本のゴムひもとして構成してなる提案であるが、該提案は、締付け紐を結ぶにあたり、図１ならびに図２に示されるように、使用者がひも部とゴム部の結び目位置を任意に選択することができない（何れの結び方もゴム部が関与する伸縮性がある締付け状態になる）ことよって、本願発明のように伸縮紐を胴周り内に介在させずに非伸縮紐を締結することで伸縮性を有さないで調整することができる締付け調整手段と、伸縮紐を胴周り内に介在させて非伸縮紐を締結することで伸縮性を有して調整することができる締付け調整手段の二通りの締付け調整手段を任意に選択できる構造を有していないことから、本願発明とは、発明を構成する構造ならびに解決手段及び作用効果が大きく相違するものであった。
【０００６】
また、防塵及び防ダニ性能に優れると共に、肌への刺激も少なく、それらに起因するアレルギー性疾患を予防或いは緩和する効果を有する「寝衣」(特許文献２参照)が提案され、公知技術となっている。
【０００７】
しかしながら、係る「寝衣」の提案は、全体が超長綿高密度織物からなる一重の生地で構成され、左右前身頃及び、該左右前身頃に襟ぐりから脇下に向う切替え線で縫合される左右袖を一体に有する後身頃からなり、それらを縫合一体としてなる上衣と、左右身頃の内股部分を脇縫いし股ぐりの縫製によって一体としてなる下衣とからなり、上衣，下衣共に生地の切替え部分及び縫合部分は、地縫いした縫い代を折り伏せ更に折り山の際を縫う折り伏せ縫いによって縫合し、且つ、生地の端縁部はテープ状生地を用いたバインディング仕上げとした提案であるが、該提案は、非伸縮紐の中央に伸縮紐を連設した形態（図７参照）、または、非伸縮紐の両側部に伸縮紐を分割して連設した形態（段落[００１８]参照）で構成されていることによって、紐を結ぶにあたり、図１（Ｃ）ならびに図２（Ｂ）に示されるように、使用者が非伸縮紐と伸縮紐の結び目位置を任意に選択することができない（何れの結び方も伸縮紐が関与する伸縮性がある締付け状態になる）ことよって、本願発明のように伸縮紐を胴周り内に介在させずに非伸縮紐を締結することで伸縮性を有さないで調整することができる締付け調整手段と、伸縮紐を胴周り内に介在させて非伸縮紐を締結することで伸縮性を有して調整することができる締付け調整手段の二通りの締付け調整手段を任意に選択できる構造を採用していないことから、本願発明とは、発明を構成する構造ならびに解決手段及び作用効果が大きく相違するものであった。
【０００８】
また、ウエスト部に挿通したウエストゴムに、締緩調節機構を取付けてウエストゴムの締付け強度を容易に調節できるようにした「ウエストゴムの締緩調節機能つきパンツ」(特許文献３参照)が提案され、公知技術となっている。
【０００９】
しかしながら、係る「ウエストゴムの締緩調節機能つきパンツ」の提案は、ウエスト部にウエストロープおよびウエストゴムを挿通したパンツにおいて、ウエスト前面内側に開孔したウエストロープ通し孔の側方にウエストゴム通し孔を開孔し、該ウエストゴム通し孔より取り出した、ウエスト全周よりも長いウエストゴムの両端を紐止め具に挿通し、ウエストゴムの両端の先端部に係止部を設けた手段を採用していることによって、ウエストゴムとウエストロープとによる複数の締付け部材を必要とするものであり、さらにウエストゴムにおいては複雑構造となる紐止め具（ゴムの締緩調節機能）を備えてウエスト部を調整しなければならないことから、製造コストの高騰につながると共に、パンツ装着時においてウエスト部が嵩張った装着感で締付けられるといった問題点があるものであった。
【００１０】
本出願人は、上記のような衣類の開口部を締付ける締付け紐によって、腰周りにおける締付け調整手段を体型や体調の変化ならびに衣類の着用状態に合わせて自由に選択できない問題点と、締付け紐が衣類を加工することなく簡便な構造で設けられていない現状に着目し、それらの問題点を安価で且つ簡易的な手段で解決することができないものかとの着想の下、腰周りにおける締付け調整手段を体型や体調の変化ならびに衣類の着用状態に合わせて自由に選択することで着用時の圧迫感を軽減させることができる締付け紐とそれを使用した衣類を開発し、本発明における「締付け紐とそれを使用した衣類」の提案に至るものである。
【先行技術文献】
【特許文献】
【００１１】
【特許文献１】特開２００７−２３４６０号公報
【特許文献２】特開平１１−１２４７０７号公報
【特許文献３】特開２０００−２７３７０１号公報
【発明の概要】
【発明が解決しようとする課題】
【００１２】
本発明は上記問題点を鑑み、腰周りにおける締付け調整手段を体型や体調の変化ならびに衣類の着用状態に合わせて自由に選択することで着用時の圧迫感を軽減させることができる締付け紐とそれを使用した衣類の提供を図ることを課題とする。
【課題を解決するための手段】
【００１３】
本発明は、上記課題を解決するためになされるもので、本発明における締付け紐は、一本の所用の長さを有する非伸縮紐の基端部と先端部の両端に結び目を設け、その非伸縮紐の長手方向中央より前記基端部または前記先端部の何れか一方寄りの所定の位置に所用の長さを有する伸縮紐を連設して衣類の紐通し穴に挿通される締付け紐であって、前記伸縮紐を胴周り内に介在させずに前記非伸縮紐の基端部側と前記伸縮紐の基端部側を締結することで伸縮性を有さないで締付けることができる締付け調整手段と、前記伸縮紐を胴周り内に介在させて前記非伸縮紐の基端部側と前記伸縮紐の先端部側を締結することで伸縮性を有して締付けることができる締付け調整手段の二通りの締付け調整手段を前記伸縮紐と前記非伸縮紐との結び位置を変えることによって任意に選択できる手段を採る。
【００１４】
また本発明における締付け紐は、一本の所用の長さを有する非伸縮紐の基端部に係止具を設けると共に、その基端部付近に長さ調整具を備え、前記非伸縮紐の先端部に長手方向中央よりも先端部に近い所定の位置に所用の長さを有する伸縮紐を連設し、その伸縮紐の基端部側と前記非伸縮紐の先端部に係止具を設けて衣類の紐通し穴に挿通される締付け紐であって、前記伸縮紐を胴周り内に介在させずに前記非伸縮紐の基端部と前記伸縮紐の基端部を係止具で連結することで伸縮性を有さないで締付けることができる締付け調整手段と、前記伸縮紐を胴周り内に介在させて前記非伸縮紐の基端部と前記伸縮紐の先端部を係止具で連結することで伸縮性を有して締付けることができる締付け調整手段の二通りの締付け調整手段を前記伸縮紐と前記非伸縮紐との結び位置を変えることによって任意に選択できる手段を採る。
【００１５】
また本発明における締付け紐は、一本の所用の長さを有する非伸縮紐をエンドレス状に形成すると共に、その非伸縮紐を胴周り寸法より延長して形成し、その延長された非伸縮紐の長さ方向の所定の位置に所用の長さを有する伸縮紐を連設して衣類の紐通し穴に挿通される締付け紐であって、前記伸縮紐を胴周り内に介在させずに前記非伸縮紐をループ状に締結することで伸縮性を有さないで締付けることができる締付け調整手段と、前記伸縮紐を胴周り内に介在させて前記非伸縮紐をループ状に締結することで伸縮性を有して締付けることができる締付け調整手段の二通りの締付け調整手段を前記伸縮紐と前記非伸縮紐との結び位置を変えることによって任意に選択できる手段を採る。
【００１６】
また本発明における締付け紐は、一本の所用の長さを有して二股状に分岐される非伸縮紐の基端部と先端部の両端に結び目を設け、その分岐される一方の非伸縮紐の所定の位置に所用の長さを有する伸縮紐を連設して衣類の紐通し穴に挿通される締付け紐であって、前記伸縮紐を胴周り内に介在させずに前記非伸縮紐の基端部側と前記非伸縮紐の先端部側を締結することで伸縮性を有さないで締付けることができる締付け調整手段と、前記伸縮紐を胴周り内に介在させて前記非伸縮紐の基端部側とその分岐される一方の前記伸縮紐の先端部側を締結することで伸縮性を有して締付けることができる締付け調整手段の二通りの締付け調整手段を前記伸縮紐と前記非伸縮紐との結び位置を変えることによって任意に選択できる手段を採る。
【００１７】
また本発明における締付け紐は、一本の所用の長さを有して二股状に分岐される非伸縮紐の基端部に係止具を設け、その基端部付近に長さ調整具を備えると共に、その分岐される一方の非伸縮紐の所定の位置に所用の長さを有する伸縮紐を連設し、二股状に分岐される前記非伸縮紐の先端部に係止具を設けて衣類の紐通し穴に挿通される締付け紐であって、前記伸縮紐を胴周り内に介在させずに前記非伸縮紐の基端部と先端部を係止具で連結することで伸縮性を有さないで締付けることができる締付け調整手段と、前記伸縮紐を胴周り内に介在させて前記非伸縮紐の基端部とその分岐される一方の前記伸縮紐の先端部を係止具で連結することで伸縮性を有して締付けることができる締付け調整手段の二通りの締付け調整手段を前記伸縮紐と前記非伸縮紐との結び位置を変えることによって任意に選択できる手段を採る。
【００１８】
また本発明における締付け紐は、衣類の開口部に内縫される紐通し穴に紐取出し口を設け、その紐通し穴に請求項１〜請求項５記載の何れか記載の締付け紐を挿通した手段を採る。
【発明の効果】
【００１９】
本発明の締付け紐によれば、一本の締付け紐を非伸縮紐と伸縮紐とで連設させて形成することによって、非伸縮紐による締付け効果と伸縮紐による締付け効果が、伸縮紐と非伸縮紐との結び位置を変えることによって任意に選択できるといった優れた効果を奏する。
【００２０】
また本発明の締付け紐によれば、一本の締付け紐の所定の中位置に伸縮紐を連設してエンドレス状にすることによって、非伸縮紐による締付け効果と伸縮紐による締付け効果が、伸縮紐と非伸縮紐との結び位置を変えることによって任意に選択できるといった優れた効果を奏する。
【００２１】
また本発明の締付け紐によれば、一本の締付け紐を単純に二股状に分岐し、その分岐された一方に伸縮紐を連設することによって、非伸縮紐による伸縮性のない締付け効果と、伸縮紐による伸縮性のある締付け効果が、伸縮紐と非伸縮紐との結び位置を変えることによって任意に選択できるといった優れた効果を奏する。
【００２２】
また本発明の締付け紐によれば、非伸縮紐の両端に係止具を設けることによって、締付け紐を締付けるたびに締付け固定結び目を結ぶ必要がなくなることから、締付け行為が簡単且つ容易に行えるようになるといった優れた効果を奏する。
【００２３】
また本発明の締付け紐とそれを使用した衣類によれば、衣類のウエスト部のゴム仕様を省略することができるため、衣類の製造コストの低減ならびにデザインの面でもシンプルに形成できるもので、さらに締付け固定結び目の位置を単純に変えるだけで腰周りを簡単且つ容易に締付けることができるといった優れた効果を奏する。
【００２４】
また本発明の締付け紐とそれを使用した衣類によれば、衣類の紐取出し口を設け、その紐取出し口に請求項１〜請求項５記載の何れか記載の締付け紐を挿通させてトレーニングウエア、スエットパンツ、ズボン、スカート、パジャマ、パンツ、水着、ヤッケ、雨合羽等の腰周りを伸縮自在に締付けることによって、着脱時における着用着のズリ下がりを防止することができると共に、使用用途が鞄、リックサック、フードなど柔軟性を有する開口部の締付け手段として利用できるといった優れた効果を奏する。
【図面の簡単な説明】
【００２５】
【図１】本発明における締付け紐の請求項１の実施形態を示す説明図である。（実施例１）
【図２】本発明における締付け紐の請求項２の実施形態を示す説明図である。（実施例２）
【図３】本発明における締付け紐の請求項３の実施形態を示す説明図である。（実施例３）
【図４】本発明における締付け紐の請求項４の実施形態を示す説明図である。（実施例４）
【図５】本発明における締付け紐の請求項５の実施形態を示す説明図である。（実施例５）
【発明を実施するための形態】
【００２６】
本発明における締付け紐１０は、一本の所用の長さを有する非伸縮紐１１の基端部１１aと先端部１１bの両端に結び目１３を設け、その非伸縮紐１１の長手方向中央より基端部１１aまたは先端部１１bの何れか一方寄りの所定の位置に所用の長さを有する伸縮紐１２を連設して衣類２０の紐通し穴２２に挿通される締付け紐１０であって、伸縮紐１２を胴周り内に介在させずに非伸縮紐１１の基端部１１a側と伸縮紐１２の基端部１１a側を締結することで伸縮性を有さないで締付けることができる締付け調整手段と、伸縮紐１２を胴周り内に介在させて非伸縮紐１１の基端部１１a側と伸縮紐１２の先端部１１b側を締結することで伸縮性を有して締付けることができる締付け調整手段の二通りの締付け調整手段を伸縮紐１２と非伸縮紐１１との結び位置を変えることによって任意に選択できる手段を採ったことを最大の特徴とする。以下、本発明における締付け紐１０とそれを使用した衣類２０の実施形態を図面を基に説明する。
【００２７】
なお、本発明における締付け紐１０とそれを使用した衣類２０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２８】
図１は、本発明における締付け紐の請求項１の実施形態を示す説明図である。
本発明の締付け紐１０は、一本の所用の長さを有する非伸縮紐１１の基端部１１aと先端部１１bの両端に結び目１３を設け、その非伸縮紐１１の長手方向中央より基端部１１aまたは先端部１１bの何れか一方寄りの所定の位置に所用の長さを有する伸縮紐１２を連設して衣類２０の紐通し穴２２に挿通される形状に形成される。
以下、締付け紐１０が使用される実施例を具体的に説明する。
【００２９】
図１（a）は本発明における締付け紐１０の全体図を示す。
非伸縮紐１１は、衣類２０の紐通し穴２２に挿通される腰周りの略1.5倍ぐらいの長さをもって木綿糸や化学繊維糸で編まれた柔軟な伸縮性がない紐状体で形成されるもので、その基端部１１aと先端部１１bには、衣類２０の紐通し穴２２に挿入不可とする結び目１３を設けて形成される。
【００３０】
伸縮紐１２は、その非伸縮紐１１の先端部１１bの何れか一方寄りの所定の位置に腰周りの略八分の一ぐらいの長さを有して形成されるもので、素材としては主に丸状または平状の天然ゴムや合成ゴムが使用される。
【００３１】
図１（b）は本発明における締付け紐１０の使用前の状態を示す後方から見た全体斜視図である。
スポーツパンツＳは、腰周り部に紐通し穴２２が設けられ、その前方内側に紐取出し口２３が開口しているスポーツ用のパンツである。そのスポーツパンツＳの紐通し穴２２に締付け紐１０を挿入して非伸縮紐１１の基端部１１aと先端部１１bを紐通し穴２２の紐取出し口２３から其々同じ長さに露出した状態で揃える。
【００３２】
図１（c）は本発明における非伸縮紐１１による締付け状態を示す説明図である。
非伸縮紐１１の先端部１１bを握って伸縮紐１２の所用の長さ全てが紐取出し口２３から露出した状態になるまで引き出し、非伸縮紐１１の先端部１１bと伸縮紐１２全体が腰周りから外れて紐取出し口２３から露出した状態にして非伸縮紐１１の基端部１１aと非伸縮紐１１の間を締付け固定結び目１５で結んで締結する。
その結果、締付け紐１０の両端を伸縮紐１２が胴周り内に介在させない状態で締付け固定結び目１５で締結することで、腰周りが伸縮性を有さない締付け紐１０で締付けられることによって、腰周りを圧迫しない最適の状態で締付けることができる。
また、締付け固定結び目１５の位置を変えて締結することによって、伸縮紐１２の伸張範囲内での弾性力を任意に調整することもできる。
【００３３】
図１（d）は本発明における伸縮紐１２による締付け状態を示す説明図である。
非伸縮紐１１の基端部１１aを握って伸縮紐１２の所用の長さ全てが紐取出し口２３から露出しない状態になるまで引き戻し、伸縮紐１２全体が腰周りに巻きついた状態にして非伸縮紐１１の先端部１１bと基端部１１aとを締付け固定結び目１５で結んで締結する。
その結果、締付け紐１０の両端を伸縮紐１２が胴周り内に介在する状態で締付け固定結び目１５で締結することで、腰周りが伸縮性を有する締付け紐１０で締付けられることによって、腰周りを適度に圧迫した状態で締付けることができる。
なお、紐取出し口２３から引き出された締付け紐１０の先端は、衣類２０と腰周りの間に挟んでコンパクトに収めることができる。
【００３４】
以上のように構成される本発明の締付け紐１０は、非伸縮紐１１による伸縮性がなく腰骨に引っ掛けて腰周りを圧迫しない締付け効果と、伸縮紐１２による伸縮性のある適度に圧迫した締付け効果を、伸縮紐と非伸縮紐との結び位置を変えることによって任意に選択することができると共に、衣類２０のウエスト部のゴム仕様を省略することができるため、衣類２０の製造コストの低減ならびにデザインの面でもシンプルに形成することができるもので、さらに一本の締付け紐１０の締付け固定結び目１５の位置を単純に変えるだけで腰周りを簡単且つ容易に締付けることができる。
【実施例２】
【００３５】
図２は、本発明における締付け紐の請求項２の実施形態を示す説明図である。
本発明における締付け紐１０は、一本の所用の長さを有する非伸縮紐１１の基端部１１aに係止具１６（係止フック部１７）を設けると共に、その基端部１１a付近に長さ調整具１９を備え、非伸縮紐１１の先端部１１bに長手方向中央よりも先端部１１bに近い所定の位置に所用の長さを有する伸縮紐１２を連設し、その伸縮紐１２の基端部１１a側と非伸縮紐１１の先端部１１bに係止具１６（係止フック受部１８）を設けて衣類２０の紐通し穴２２に挿通される形状に形成される。
【００３６】
係止具１６は、フック状の係止フック部１７とリング状の係止フック受部１８で構成されて、固定結び目１５を結ぶ行為を省略するために設けられるもので、例えば金属製のフックで形成され、リング状の係止フック受部１８に引っ掛けられて連結される。また、その他の係止手段としては、ボタン、ホック、面ファスナー等の係止具を用いることも考えられる。
【００３７】
長さ調整具１９は、市販の長さ調整具が使用され、締付け紐１０の連結位置が係止具１６が設けられることによって限定されることで、締付け紐１０の長さを調整する必要性が生まれるために設けられるものである。
【００３８】
以上のように構成される本発明の締付け紐１０は、フック掛け等による係止具１６によって着脱時に締付け紐１０を締付けるたびに締付け固定結び目１５を結ぶ必要がなくなることから、衣類の着脱時における締付け行為が簡単且つ容易に行えるようになる。
【実施例３】
【００３９】
図３は、本発明における締付け紐の請求項３の実施形態を示す説明図である。
本発明の締付け紐１０は、一本の所用の長さを有する非伸縮紐１１をエンドレス状に形成すると共に、その非伸縮紐１１を胴周り寸法より延長して形成し、その延長された非伸縮紐１１の長さ方向の所定の位置に所用の長さを有する伸縮紐１２を連設して衣類２０の紐通し穴２２に挿通される形状に形成される。
【００４０】
また、一本の非伸縮紐１１をエンドレス状に形成する手段は、カシメ連結金具、縫合、フック掛け、連結針、溶着等によって製造メーカーにより予め連結されて製造することもできるもので、その連結手段は特に限定されない。
以下、締付け紐１０が使用される実施例を具体的に説明する。
【００４１】
図３（a）は本発明における締付け紐１０の全体図を示す。
非伸縮紐１１は、衣類２０の紐通し穴２２に挿通される腰周りの略１．５倍ぐらいの長さをもって木綿糸や化学繊維糸で編まれた柔軟な伸縮性がない紐状体で形成されるもので、一本の所用の長さを有し、その長さ方向の所定の位置に所用の長さを有する伸縮紐１２を連設してエンドレス状に形成される。
【００４２】
伸縮紐１２は、延長された非伸縮紐１１の長さ方向の所定の位置に腰周りの略八分の一ぐらいの所用の長さを有して形成されるもので、素材としては、丸状または平状の天然ゴムや合成ゴムが使用される。
【００４３】
図３（b）は本発明における締付け紐１０の使用前の状態を示す後方から見た全体斜視図である。
スポーツパンツＳは、腰周り部に紐通し穴２２が設けられ、その前方内側に紐取出し口２３が開口しているスポーツ用のパンツである。そのスポーツパンツＳの紐通し穴２２に締付け紐１０を挿入してその一部を紐取出し口２３からループ状１４に露出した状態にする。
【００４４】
図３（c）は本発明における非伸縮紐１１による締付け状態を示す説明図である。
非伸縮紐１１の間の一部を握って伸縮紐１２の所用の長さが紐取出し口２３からループ状１４に露出した状態になるまで引き出し、その引き出したループ状１４の伸縮紐１２が紐取出し口２３から露出して腰周りから外れた状態にして非伸縮紐１１を締付け固定結び目１５で結んで締結する。
その結果、ループ状１４の非伸縮紐１１を伸縮紐１２が胴周り内に介在させない状態で締付け固定結び目１５で締結することで、腰周りが伸縮性を有さない締付け紐１０で締付けられることによって、腰周りを圧迫しない最適の状態で締付けることができる。
【００４５】
図３（d）は伸縮紐１２による締付け状態を示す説明図である。
非伸縮紐１１の間の一部を握って伸縮紐１２の所用の長さの全体が紐取出し口２３から露出しない状態になるまで引き戻し、伸縮紐１２が露出しないで腰周りに巻きついた状態にして紐取出し口２３から露出しているループ状１４の非伸縮紐１１を締付け固定結び目１５で結んで締結する。
その結果、ループ状１４の非伸縮紐１１を伸縮紐１２が胴周り内に介在させた状態で締付け固定結び目１５で締結することで、腰周りが伸縮性を有する締付け紐１０で締付けられることによって、腰周りを適度に圧迫した状態で締付けることができる。
【００４６】
以上のように構成される本発明の締付け紐１０は、一本の締付け紐１０の締付け固定結び目１５の位置を単純に変えるだけで、伸縮性がない非伸縮紐１１による腰骨に引っ掛けて腰周りを圧迫しない締付け効果と、伸縮性がある伸縮紐１２による適度に圧迫した締付け効果を締付けたい状況に合わせて任意に選択できると共に、衣類２０のウエスト部のゴム仕様を省略することができるため、衣類２０の製造コストの低減ならびにデザインの面でもシンプルに形成できるもので、さらに一本の締付け紐１０の締付け固定結び目１５の位置を単純に変えるだけで腰周りを簡単且つ容易に締付けることができる。
また、ループ状１４の締付け紐１０の一端を摘んで片結びまたは解け易い蝶々結びにすることによって簡単に締付け固定結び目１５を形成することができる。
【実施例４】
【００４７】
図４は、本発明における締付け紐の請求項４の実施形態を示す説明図である。
本発明における締付け紐１０は、一本の所用の長さを有して二股状に分岐される非伸縮紐１１の基端部１１aと先端部１１bの両端に結び目１３を設け、その分岐される一方の非伸縮紐１１の所定の位置に所用の長さを有する伸縮紐１２を連設して衣類２０の紐通し穴２２に挿通される形状に形成される。
以下、締付け紐１０が使用される実施例を具体的に説明する。
【００４８】
図４（a）は本発明における締付け紐１０の装着状態を示す全体図である。
非伸縮紐１１は、衣類２０の紐通し穴２２に挿通される腰周りの略１．５倍ぐらいの長さをもって木綿糸や化学繊維糸で編まれた柔軟な伸縮性がない紐状体で形成されるもので、両端には結び目１３を設け、その分岐される一方の非伸縮紐１１の所定の位置に所用の長さを有する伸縮紐１２を連設して形成される。
【００４９】
伸縮紐１２は、一本の非伸縮紐１１が分岐される一方の先端部１１bに所定の位置に腰周りの略八分の一ぐらいの所用の長さを有して形成されるもので、素材としては、丸状または平状の天然ゴムや合成ゴムが使用される。
【００５０】
図４（b）は本発明における締付け紐１０の使用前の状態を示す後方から見た全体斜視図である。
スポーツパンツＳは、腰周り部に紐通し穴２２が設けられ、その前方内側に紐取出し口２３が開口しているスポーツ用のパンツである。そのスポーツパンツＳの紐通し穴２２に締付け紐１０を挿入して非伸縮紐１１の基端部１１aならびに先端部１１bと伸縮紐１２の先端方向の非伸縮紐１１の先端部１１bを紐取出し口２３から其々露出した状態で同じ長さに揃える。
【００５１】
図４（c）は本発明における非伸縮紐１１による締付け状態を示す説明図である。
非伸縮紐１１の基端部１１aを握った状態で非伸縮紐１１の先端部１１bを引っ張り、非伸縮紐１１の先端部１１bと非伸縮紐１１の基端部１１aが互いに引っ張り合う状態になるまで引き出し、残された伸縮紐１２が腰周りの締付け状態から緩んだ状態（フリーの状態）にして非伸縮紐１１の先端部１１bと基端部１１aを締付け固定結び目１５で結んで締結する。
その結果、締付け紐１０の両端を伸縮紐１２が胴周り内に介在させない状態で締付け固定結び目１５で締結することで、腰周りが伸縮性を有さない締付け紐１０で締付けられることによって、腰周りを圧迫しない最適の状態で締付けることができる。
【００５２】
図４（d）は本発明における伸縮紐１２による締付け状態を示す説明図である。
非伸縮紐１１の基端部１１aを握った状態で伸縮紐１２の先端方向にある非伸縮紐１１の先端部１１bを引っ張り、非伸縮紐１１の基端部１１aと伸縮紐１２の先端方向にある非伸縮紐１１の先端部１１bが互いに引っ張り合う状態になるまで引き出し、残された非伸縮紐１１が腰周りの締付け状態から緩んだ状態（フリーの状態）にして非伸縮紐１１の基端部１１aと伸縮紐１２の先端方向にある非伸縮紐１１の先端部１１bを締付け固定結び目１５で結んで締結する。
その結果、締付け紐１０の両端を伸縮紐１２が胴周り内に介在する状態で締付け固定結び目１５で締結することで、腰周りが伸縮性を有する締付け紐１０で締付けられることによって、腰周りを適度に圧迫した状態で締付けることができる。
【００５３】
また、締付け時において非伸縮紐１１と伸縮紐１２の何れかを衣類２０を着用した状態で判別するには、紐取出し口２３から露出している締付け紐１０の一方をやや引き戻すことによって弾力性があるかないかで容易に判断することができる。さらに伸縮紐１２の紐取出し口２３を別個に設けることも考えられるが、３本の非伸縮紐１１と伸縮紐１２が別個の紐取出し口２３から取り出されても一箇所の紐取出し口２３から取り出される場合と比べて然程締付け行為の容易さは変わらない
なお、紐取出し口２３から引き出された締付け紐１０の先端は衣類２０と腰周りの間に挟んでコンパクトに収めることができる。
【００５４】
以上のように構成される本発明の締付け紐１０は、一本の締付け紐１０の締付け固定結び目１５の位置を単純に変えるだけで伸縮性がない非伸縮紐１１による腰骨に引っ掛けて腰周りを圧迫しない締付け効果と、伸縮性がある伸縮紐１２による適度に圧迫した締付け効果を締付けたい状況に合わせて任意に選択できると共に、衣類２０のウエスト部のゴム仕様を省略することができるため、衣類２０の製造コストの低減ならびにデザインの面でもシンプルに形成できるもので、さらに一本の締付け紐１０の締付け固定結び目１５の位置を単純に変えるだけで腰周りを簡単且つ容易に締付けることができる。
【実施例５】
【００５５】
図５は、本発明における締付け紐の請求項５の実施形態を示す説明図である。
本発明における締付け紐１０は、一本の所用の長さを有して二股状に分岐される非伸縮紐１１の基端部１１aに係止具１６（係止フック部１７）を設け、その基端部１１付近に長さ調整具１９を備えると共に、その分岐される一方の非伸縮紐１１の所定の位置に所用の長さを有する伸縮紐１２を連設し、二股状に分岐される非伸縮紐１１の先端部１１bに係止具１６（係止フック受部１８）を設けて衣類２０の紐通し穴２２に挿通される形状に形成される。
【００５６】
係止具１６は、フック状の係止フック部１７とリング状の係止フック受部１８で構成されて、固定結び目１５を結ぶ行為を省略するために設けられるもので、例えば金属製のフックで形成され、リング状の係止フック受部１８に引っ掛けられて連結される。また、その他の係止手段としては、ボタン、ホック、面ファスナー等の係止具を用いることも考えられる。
【００５７】
長さ調整具１９は、市販の長さ調整具によって非伸縮紐１１の基端部１１a付近に設けられるもので、締付け紐１０の両端の連結位置が限定されることによって締付け紐１０の長さを調整する必要性が生まれるために設けられるものである。
【００５８】
以上のように構成される本発明の締付け紐１０は、フック掛け等による係止具１６によって着脱時に締付け紐１０を締付けるたびに締付け固定結び目１５を結ぶ必要がなくなることから、衣類の着脱時における締付け行為が簡単且つ容易に行えるようになる。
【００５９】
本発明における締付け紐１０とそれを使用した衣類２０の請求項６の実施形態を説明する。
本発明の締付け紐１０は、衣類２０の開口部２１に内縫される紐通し穴２２に紐取出し口２３を設け、その紐通し穴２２に請求項１〜請求項５記載の何れか記載の締付け紐を挿通した衣類２０を用いて形成される。
【００６０】
以上のように構成される本発明における締付け紐１０とそれを使用した衣類２０は、衣類２０の腰周り部に紐通し穴２２を設け、その紐通し穴２２に請求項１〜請求項５の何れか記載の締付け紐１０を挿通させてトレーニングウエア、スエットパンツ、ズボン、スカート、パジャマ、パンツ、水着、ヤッケ、雨合羽等によって腰周りを締付けることによって、着脱時の便宜性ならびに着用時のズリ下がりを防止すると共に、衣類２０の他に鞄、リックサック、フード、靴等や、布や皮革を使用した柔軟な製品の開口部２1を締付ける手段として広く利用することができる。
【産業上の利用可能性】
【００６１】
本発明における締付け紐とそれを使用した衣類は、従来の締付け紐と比較して、締付け紐が単純な構造で伸縮性がない非伸縮紐と伸縮性がある伸縮紐の其々の締付け効果が同時に得られると共に、装着される衣類に縫製加工を要しないことから、従来に増して多用の衣類または入れ物などに広く利用できるもので、本発明における「締付け紐とそれを使用した衣類」の産業上の利用可能性は極めて大であるものと解する。
【符号の説明】
【００６２】
１０  締付け紐
１１  非伸縮紐
１１a 基端部
１１b 先端部
１２  伸縮紐
１３  結び目
１４  ループ状
１５  締付け固定結び目
１６  係止具
１７  係止フック部
１８  係止フック受部
１９  長さ調整具
２０  衣類
２１  開口部
２２  紐通し穴
２３  紐取出し口
Ｓ    スポーツパンツ
【要約】      （修正有）【課題】腰周りにおける締付け調整手段を、体型や体調の変化、ならびに衣類の着用状態に合わせて自由に選択することで、着用時の圧迫感を軽減させることができる締付け紐とそれを使用した衣類を提供する。【解決手段】一本の所用の長さを有する非伸縮紐１１の基端部１１aと先端部１１bの両端に結び目１３を設け、その非伸縮紐の長手方向中央より基端部または先端部の何れか一方寄りの所定の中間位置に所用の長さを有する伸縮紐１２を連設することによって、伸縮紐を胴周り内に介在させずに非伸縮紐の基端部側と伸縮紐の基端部側を締結することで、伸縮性を有さないで締付けることができる締付け調整手段と、伸縮紐を胴周り内に介在させて非伸縮紐の基端部側と伸縮紐の先端部側を締結することで、伸縮性を有して締付けることができる締付け調整手段の、二通りの締付け調整手段を任意に選択できる手段を採る。【選択図】図１【図１】
0005947437.tif 000002
【図２】
0005947437.tif 000003
【図３】
0005947437.tif 000004
【図４】
0005947437.tif 000005
【図５】
0005947437.tif 000006